(57)【要約】      （修正有）【課題】ヘッドバンド装置を着用した後に、着用者がヘッドバンド装置の位置を自身で調節することを用意にし、着用後のヘッドバンド装置を異なる着用者の頭部形状によりフィットさせ、着用者により快適さを感じさせることができる溶接用ヘルメットのヘッドバンド装置を提供する。【解決手段】固定された装着構造と、装着構造と協働するヘルメット取付構造であって、装着構造とヘルメット取付構造との間に少なくとも２つの停止位置が長手方向に定められ、ヘルメット取付構造は、係止解除状態と係止状態との間で選択的に切替が可能であり、係止解除状態において、ヘルメット取付構造は装着構造に対して停止位置間で摺動可能であり、係止状態において、ヘルメット取付構造を装着構造に対して停止位置のうちの１つに係止することができ且つ一対の磁気部間に発生する磁力によってそこに保持することができる。【選択図】図１
2018024963.tif 000002
【特許請求の範囲】
【請求項１】
溶接用ヘルメット用のヘッドバンド装置であって、
固定された装着構造と、
前記装着構造と協働するヘルメット取付構造であって、前記装着構造と前記ヘルメット取付構造との間に少なくとも２つの停止位置が長手方向に定められ、前記ヘルメット取付構造は、係止解除状態と係止状態との間で選択的に切替が可能であり、前記係止解除状態において、前記ヘルメット取付構造は前記装着構造に対して前記停止位置間で摺動可能であり、前記係止状態において、前記ヘルメット取付構造を前記装着構造に対して前記停止位置のうちの１つに係止することができ且つ一対の磁気部間に発生する磁力によってそこに保持することができる、ヘルメット取付構造と
を備えるヘッドバンド装置。
【請求項２】
前記ヘルメット取付構造は、前記ヘルメット取付構造において回動軸を中心として回動可能となるように取り付けられた係止可能部品を備え、前記一対の磁気部は、前記係止可能部品に固定された第１の磁気部と、前記ヘルメット取付構造または前記装着構造に固定された第２の磁気部とを備え、前記係止可能部品を回転させることにより前記ヘルメット取付構造を前記係止解除状態と前記係止状態との間で切り替えることができ、前記係止状態において、前記ヘルメット取付構造は、前記第１および第２の磁気部の間に発生する磁気引力または磁気斥力によって係止された状態に保持される、請求項１に記載のヘッドバンド装置。
【請求項３】
前記第１の磁気部は第１の磁気面を有し、前記第２の磁気部は第２の磁気面を有し、
前記第１の磁気面が前記第２の磁気面と同じ極性を有する場合、前記第１および第２の磁気部は、前記係止可能部品を前記係止状態から前記係止解除状態に回動させるにつれて、前記第１の磁気面が前記第２の磁気面に近づくように配置されるか、あるいは、
前記第１の磁気面が前記第２の磁気面と異なる極性を有する場合、前記第１および第２の磁気部は、前記係止可能部品を前記係止状態から前記係止解除状態に回動させるにつれて、前記第１の磁気面が前記第２の磁気面から遠ざかるように配置される、請求項２に記載のヘッドバンド装置。
【請求項４】
前記係止可能部品は舌部を有し、前記停止位置は、前記装着構造に形成されたいくつかの位置決め孔によって定められ、前記舌部は、前記係止状態において前記位置決め孔のうちの１つに入り、前記舌部は、前記係止解除状態において前記位置決め孔を出て、前記ヘルメット取付構造を長手方向に摺動可能とする、請求項２または３に記載のヘッドバンド装置。
【請求項５】
前記ヘルメット取付構造は、ソケットが内部に形成されたブラケットを有し、前記回動軸および前記係止可能部品は、前記ソケットに配置されている、請求項２から４のいずれか一項に記載のヘッドバンド装置。
【請求項６】
前記第２の磁気部は、前記ソケットに配置されている、請求項５に記載のヘッドバンド装置。
【請求項７】
前記装着構造は位置決め板を有し、前記位置決め孔は前記位置決め板に設けられ、前記ヘルメット取付構造を案内するために前記位置決め板にレールが設けられている、請求項６に記載のヘッドバンド装置。
【請求項８】
前記回動軸は、前記位置決め板と実質的に平行である、請求項７に記載のヘッドバンド装置。
【請求項９】
前記第２の磁気部の前記第２の磁気面は、前記位置決め板と実質的に平行である、請求項７または８に記載のヘッドバンド装置。
【請求項１０】
前記係止可能部品は、アクセス可能に前記ソケットの開口から露出したハンドルを有する、請求項９に記載のヘッドバンド装置。
【請求項１１】
前記ソケットに挿入部品が収容され、前記第２の磁気部は、前記挿入部品に固定して設けられ、前記挿入部品は、前記ソケットの前記開口内での前記ハンドルの移動範囲を規定する縁部を有する、請求項１０に記載のヘッドバンド装置。
【請求項１２】
前記ヘルメット取付構造は、前記ヘルメット取付構造において直線的に移動可能である係止可能部品を備え、前記一対の磁気部は、前記係止可能部品に固定された第１の磁気部と、前記ヘルメット取付構造または前記装着構造に固定された第２の磁気部とを備え、前記係止可能部品を直線的に移動させることにより前記ヘルメット取付構造を前記係止解除状態と前記係止状態との間で切り替えることができ、前記係止状態において、前記ヘルメット取付構造は、前記第１および第２の磁気部の間に発生する磁気斥力によって係止された状態に保持される、請求項１に記載のヘッドバンド装置。
【請求項１３】
前記係止可能部品は、前記ヘルメット取付構造の移動方向に実質的に垂直な方向に移動することが可能である、請求項１２に記載のヘッドバンド装置。
【請求項１４】
前記第１および第２の磁気部は、前記ヘルメット取付構造が前記係止状態から前記係止解除状態に変更されるにつれて、互いに近づくように配置されている、請求項１２または１３に記載のヘッドバンド装置。
【請求項１５】
前記係止可能部品は舌部を有し、前記装着構造に長形スロットが形成され、前記舌部は前記スロット内に突出し、前記停止位置は、前記スロットの一方の側に前記スロットと連通して形成されたいくつかの切欠きによって定められ、前記係止状態において、前記舌部は前記切欠きのうちの１つに入り、前記係止解除状態において、前記舌部は前記切欠きを出て、前記ヘルメット取付構造を長手方向に摺動可能とする、請求項１２または１３に記載のヘッドバンド装置。
【請求項１６】
前記係止解除状態において、前記舌部は、前記スロット内で長手方向に移動可能である、請求項１５に記載のヘッドバンド装置。
【請求項１７】
前記ヘルメット取付構造は、ソケットが内部に形成されたブラケットを有し、前記係止可能部品および前記第２の磁気部は前記ソケット内に配置されている、請求項１５または１６に記載のヘッドバンド装置。
【請求項１８】
前記ヘルメット取付構造は、前記ヘルメット取付構造において直線的に移動可能である係止可能部品を備え、前記一対の磁気部は、前記ヘルメット取付構造において直線的に移動可能となるように配置され、前記一対の磁気部は、前記係止可能部品の移動方向と実質的に垂直かつ前記ヘルメット取付構造の移動方向と平行な方向に移動が可能であり、前記一対の磁気部の移動は、前記ヘルメット取付構造を前記係止解除状態と前記係止状態との間で切り替えることができるように、前記係止可能部品の移動と関連付けられており、前記係止状態において、前記ヘルメット取付構造は、前記第１および第２の磁気部の間に発生する磁気斥力によって係止された状態に保持される、請求項１に記載のヘッドバンド装置。
【請求項１９】
前記係止可能部品は舌部を有し、前記停止位置は、前記装着構造に形成されたいくつかの位置決め孔によって定められ、前記舌部は、前記係止状態において前記位置決め孔のうちの１つに入り、前記舌部は、前記係止解除状態において前記位置決め孔を出て、前記ヘルメット取付構造を長手方向に摺動可能とする、請求項１８に記載のヘッドバンド装置。
【請求項２０】
前記ヘルメット取付構造は、第１のキー部および第２のキー部を備え、前記一対の磁気部は、前記第１のキー部に埋設された第１の磁気部と前記第２のキー部に埋設された第２の磁気部とを備え、前記第１および第２の磁気部は、前記ヘルメット取付構造が前記係止状態から前記係止解除状態に変更されるにつれて互いに近づく、請求項１８または１９に記載のヘッドバンド装置。
【請求項２１】
前記第１および第２のキー部のうちの少なくとも一方に、前記係止可能部品を駆動して移動させることができるロッド部が設けられている、請求項２０に記載のヘッドバンド装置。
【請求項２２】
前記ロッド部は、直線部分および円弧状部分を有し、前記ロッド部は、前記係止可能部品に形成されている貫通孔に挿通され、前記ロッド部は、該貫通孔を貫通するように前記係止可能部品の移動方向と実質的に垂直に移動することができる、請求項２１に記載のヘッドバンド装置。
【請求項２３】
前記ロッド部の前記円弧状部分が前記貫通孔を貫通するとき、前記係止可能部品は、移動するように駆動される、請求項２２に記載のヘッドバンド装置。
【請求項２４】
前記円弧状部分の頂部が前記貫通孔に位置しているとき、前記ヘルメット取付構造は、前記係止解除状態にある、請求項２３に記載のヘッドバンド装置。
【請求項２５】
前記第１および／または第２の磁気部は永久磁石である、請求項１から２４のいずれか一項に記載のヘッドバンド装置。
【請求項２６】
溶接用ヘルメット用のヘッドバンド装置であって、使用者の後頭部にまたは後頭部に隣接して装着するためのバンド部を備え、前記バンド部には、前記バンド部の長さを調節するためのシースが設けられ、前記シースの前記使用者の後頭部に面する側に緩衝構造が設置され、前記シースの前記使用者の後頭部に面する側と前記緩衝構造との間には、前記シースの２つの側縁部に隣接して２つの回動ピンが設けられ、それにより、前記緩衝構造を前記２つの回動ピンを中心として前記シースに対して回動させることができる、ヘッドバンド装置。
【請求項２７】
前記緩衝構造は、連結部分によって連結された２つのループ部分を備え、各ループ部分は、前記回動ピンが形成された支持リブを有する、請求項２６に記載のヘッドバンド装置。
【請求項２８】
前記シースの前記使用者の後頭部に面する側に２つの耳部が設けられ、各耳部には孔が形成され、前記耳部の前記孔は、互いに実質的に同軸であるか、あるいはそれらの中心軸が小さい角度を有しており、それぞれの回動ピンは、前記緩衝構造を前記シースに対して回動させることができるように、対応する孔に挿入することができる、請求項２７に記載のヘッドバンド装置。
【請求項２９】
前記緩衝構造は、連結部分によって連結された２つのループ部分を備え、各ループ部分は、前記回動ピンのための支持リブを有し、各支持リブには孔が形成され、前記支持リブの前記孔は、互いに実質的に同軸であるか、あるいはそれらの中心軸が小さい角度を有しており、前記シースの前記使用者の後頭部に面する側に２つの耳部が設けられ、前記回動ピンは、前記耳部にそれぞれ形成され、それぞれの回動ピンは、前記緩衝構造を前記シースに対して回動させることができるように、対応する孔に挿入することができる、請求項２６に記載のヘッドバンド装置。
【請求項３０】
前記回動ピンは、前記緩衝構造をその側縁部から中心に向かって屈曲させることによって前記孔に挿入される、請求項２７から２９のいずれか一項に記載のヘッドバンド装置。
【請求項３１】
前記緩衝構造の前記使用者の後頭部に面する側に、汗吸収パッドが設けられている、請求項２７から３０のいずれか一項に記載のヘッドバンド装置。
【請求項３２】
請求項１から２５のいずれか一項に記載のヘッドバンド装置または請求項２６から３１のいずれか一項に記載のヘッドバンド装置を備える溶接用ヘルメット。
【請求項３３】
自動遮光溶接用ヘルメットである、請求項３２に記載の溶接用ヘルメット。
【発明の詳細な説明】
【技術分野】
【０００１】
関連出願への相互参照
本出願は、２０１６年８月１０に出願された中国特許出願第２０１６２０８６４５４２．８号および２０１６年１２月１５に出願された中国特許出願第２０１６２１３７７７００．３号に基づく優先権の利益を主張するものであり、これら出願の内容全体を参照により本明細書に援用する。
【０００２】
本願は、一般に、ヘッドバンド装置および溶接用ヘルメットに関し、特に、ヘッドバンド装置を備えた自動遮光溶接用ヘルメットに関する。
【背景技術】
【０００３】
溶接用ヘルメットは、溶接現場において溶接作業者を保護するために大変重要な機器となっている。一般に、溶接用ヘルメットは、ヘルメットシェルおよび当該ヘルメットシェル内に配置されたヘッドバンド装置を備える。溶接作業者の目を保護するために保護シートがヘルメットシェルに取り付けられる。ヘッドバンド装置は、ヘルメットシェルに連結され、溶接作業者の頭部に直接着用して用いることができる。
【０００４】
溶接作業者の各耳の側に設けられたヘルメット取付構造は、ヘッドバンド装置をヘルメットシェルに連結するために用いられる。溶接用ヘルメットが着用された際に溶接作業者が自身の目と保護シートとの間の距離を調節することができれば、溶接作業者の目を保護するのにより有用となる。
【０００５】
さらに、従来のヘッドバンド装置においては、溶接作業者の後頭部を保護する位置に、十分な可撓性を有する緩衝構造が設けられていないので、共通のヘッドバンド装置では、頭部（特に、後頭部）の形状が異なる着用者に対して十分な快適性を与えることができず、このことは、着用者の作業効率に間接的に影響する可能性がある。
【発明の概要】
【発明が解決しようとする課題】
【０００６】
本願の主たる目的は、溶接用ヘルメット用の改良されたヘッドバンド装置を提供し、それによって、ヘッドバンド装置を着用者の頭部に着用した後に、着用者が溶接用ヘルメットに対するヘッドバンド装置の位置を自身で調節することを容易にし、着用後のヘッドバンド装置を異なる着用者の頭部形状によりフィットさせ、着用者により快適さを感じさせることができるようにすることである。
【課題を解決するための手段】
【０００７】
本願の一局面において、溶接用ヘルメット用のヘッドバンド装置が提供され、ヘッドバンド装置は、
固定された装着構造と、
上記装着構造と協働するヘルメット取付構造であって、上記装着構造と上記ヘルメット取付構造との間に少なくとも２つの停止位置が長手方向に定められ、上記ヘルメット取付構造は、係止解除状態と係止状態との間で選択的に切替が可能であり、上記係止解除状態において、上記ヘルメット取付構造は上記装着構造に対して上記停止位置間で摺動可能であり、上記係止状態において、上記ヘルメット取付構造を上記装着構造に対して上記停止位置のうちの１つに係止することができ且つ一対の磁気部間に発生する磁力によってそこに保持することができる、ヘルメット取付構造とを備える。
【０００８】
本願の１つの要点は、一対の磁気部の間に発生する磁力によって、ヘッドバンド装置のヘルメット取付構造をその係止状態に維持することである。
【０００９】
任意には、上記ヘルメット取付構造は、上記ヘルメット取付構造において回動軸を中心として回動可能となるように取り付けられた係止可能部品を備え、上記一対の磁気部は、上記係止可能部品に固定された第１の磁気部と、上記ヘルメット取付構造または上記装着構造に固定された第２の磁気部とを備え、上記係止可能部品を回転させることにより上記ヘルメット取付構造を上記係止解除状態と上記係止状態との間で切り替えることができ、上記係止状態において、上記ヘルメット取付構造は、上記第１および第２の磁気部の間に発生する磁気引力または磁気斥力によって係止された状態に保持される。
【００１０】
任意には、上記第１の磁気部は第１の磁気面を有し、上記第２の磁気部は第２の磁気面を有し、
上記第１の磁気面が上記第２の磁気面と同じ極性を有する場合、上記第１および第２の磁気部は、上記係止可能部品を上記係止状態から上記係止解除状態に回動させるにつれて、上記第１の磁気面が上記第２の磁気面に近づくように配置されるか、あるいは、
上記第１の磁気面が上記第２の磁気面と異なる極性を有する場合、上記第１および第２の磁気部は、上記係止可能部品を上記係止状態から上記係止解除状態に回動させるにつれて、上記第１の磁気面が上記第２の磁気面から遠ざかるように配置される。
【００１１】
任意には、上記係止可能部品は舌部を有し、上記停止位置は、上記装着構造に形成されたいくつかの位置決め孔によって定められ、上記舌部は、上記係止状態において上記位置決め孔のうちの１つに入り、上記舌部は、上記係止解除状態において上記位置決め孔を出て、上記ヘルメット取付構造を長手方向に摺動可能とする。
【００１２】
任意には、上記ヘルメット取付構造は、ソケットが内部に形成されたブラケットを有し、上記回動軸および上記係止可能部品は、上記ソケットに配置されている。
【００１３】
任意には、上記第２の磁気部は、上記ソケットに配置されている。
【００１４】
任意には、上記装着構造は位置決め板を有し、上記位置決め孔は上記位置決め板に設けられ、上記ヘルメット取付構造を案内するために上記位置決め板にレールが設けられている。
【００１５】
任意には、上記回動軸は、上記位置決め板と実質的に平行である。
【００１６】
任意には、上記第２の磁気部の上記第２の磁気面は、上記位置決め板と実質的に平行である。
【００１７】
任意には、上記係止可能部品は、アクセス可能に上記ソケットの開口から露出したハンドルを有する。
【００１８】
任意には、上記ソケットに挿入部品が収容され、上記第２の磁気部は、上記挿入部品に固定して設けられ、上記挿入部品は、上記ソケットの上記開口内での上記ハンドルの移動範囲を規定する縁部を有する。
【００１９】
別の実施形態において、上記ヘルメット取付構造は、上記ヘルメット取付構造において直線的に移動可能である係止可能部品を備え、上記一対の磁気部は、上記係止可能部品に固定された第１の磁気部と、上記ヘルメット取付構造または上記装着構造に固定された第２の磁気部とを備え、上記係止可能部品を直線的に移動させることにより上記ヘルメット取付構造を上記係止解除状態と上記係止状態との間で切り替えることができ、上記係止状態において、上記ヘルメット取付構造は、上記第１および第２の磁気部の間に発生する磁気斥力によって係止された状態に保持される。
【００２０】
任意には、上記係止可能部品は、上記ヘルメット取付構造の移動方向に実質的に垂直な方向に移動することが可能である。
【００２１】
任意には、上記第１および第２の磁気部は、上記ヘルメット取付構造が上記係止状態から上記係止解除状態に変更されるにつれて、互いに近づくように配置されている。
【００２２】
任意には、上記係止可能部品は舌部を有し、上記装着構造に長形スロットが形成され、上記舌部は上記スロット内に突出し、上記停止位置は、上記スロットの一方の側に上記スロットと連通して形成されたいくつかの切欠きによって定められ、上記係止状態において、上記舌部は上記切欠きのうちの１つに入り、上記係止解除状態において、上記舌部は上記切欠きを出て、上記ヘルメット取付構造を長手方向に摺動可能とする。
【００２３】
任意には、上記係止解除状態において、上記舌部は、上記スロット内で長手方向に移動可能である。
【００２４】
任意には、上記ヘルメット取付構造は、ソケットが内部に形成されたブラケットを有し、上記係止可能部品および上記第２の磁気部は上記ソケット内に配置されている。
【００２５】
別の実施形態において、上記ヘルメット取付構造は、上記ヘルメット取付構造において直線的に移動可能である係止可能部品を備え、上記一対の磁気部は、上記ヘルメット取付構造において直線的に移動可能となるように配置され、上記一対の磁気部は、上記係止可能部品の移動方向と実質的に垂直かつ上記ヘルメット取付構造の移動方向と平行な方向に移動が可能であり、上記一対の磁気部の移動は、上記ヘルメット取付構造を上記係止解除状態と上記係止状態との間で切り替えることができるように、上記係止可能部品の移動と関連付けられており、上記係止状態において、上記ヘルメット取付構造は、上記第１および第２の磁気部の間に発生する磁気斥力によって係止された状態に保持される。
【００２６】
任意には、上記係止可能部品は舌部を有し、上記停止位置は、上記装着構造に形成されたいくつかの位置決め孔によって定められ、上記舌部は、上記係止状態において上記位置決め孔のうちの１つに入り、上記舌部は、上記係止解除状態において上記位置決め孔を出て、上記ヘルメット取付構造を長手方向に摺動可能とする。
【００２７】
任意には、上記ヘルメット取付構造は、第１のキー部および第２のキー部を備え、上記一対の磁気部は、上記第１のキー部に埋設された第１の磁気部と上記第２のキー部に埋設された第２の磁気部とを備え、上記第１および第２の磁気部は、上記ヘルメット取付構造が上記係止状態から上記係止解除状態に変更されるにつれて互いに近づく。
【００２８】
任意には、上記第１および第２のキー部のうちの少なくとも一方に、上記係止可能部品を駆動して移動させることができるロッド部が設けられている。
【００２９】
任意には、上記ロッド部は、直線部分および円弧状部分を有し、上記ロッド部は、上記係止可能部品に形成された貫通孔に挿通され、上記ロッド部は、該貫通孔を貫通するように上記係止可能部品の移動方向と実質的に垂直に移動することができる。
【００３０】
任意には、上記ロッド部の上記円弧状部分が上記貫通孔を貫通するとき、上記係止可能部品は、移動するように駆動される。
【００３１】
任意には、上記円弧状部分の頂部が上記貫通孔に位置しているとき、上記ヘルメット取付構造は、上記係止解除状態にある。
【００３２】
任意には、上記第１および／または第２の磁気部は永久磁石である。
【００３３】
本願の別の局面において、溶接用ヘルメット用のヘッドバンド装置が提供され、ヘッドバンド装置は、使用者の後頭部にまたは後頭部に隣接して装着するためのバンド部を備え、上記バンド部には、上記バンド部の長さを調節するためのシースが設けられ、上記シースの上記使用者の後頭部に面する側に緩衝構造が設置され、上記シースの上記使用者の後頭部に面する側と上記緩衝構造との間には、上記シースの２つの側縁部に隣接して２つの回動ピンが設けられ、それにより、上記緩衝構造を上記２つの回動ピンを中心として上記シースに対して回動させることができる。
【００３４】
任意には、上記緩衝構造は、連結部分によって連結された２つのループ部分を備え、各ループ部分は、上記回動ピンが形成された支持リブを有する。
【００３５】
任意には、上記シースの上記使用者の後頭部に面する側に２つの耳部が設けられ、各耳部には孔が形成され、上記耳部の上記孔は、互いに実質的に同軸であるか、あるいはそれらの中心軸が小さい角度を有しており、それぞれの回動ピンは、上記緩衝構造を上記シースに対して回動させることができるように、対応する孔に挿入することができる。
【００３６】
任意には、上記緩衝構造は、連結部分によって連結された２つのループ部分を備え、各ループ部分は、上記回動ピンのための支持リブを有し、各支持リブには孔が形成され、上記支持リブの上記孔は、互いに実質的に同軸であるか、あるいはそれらの中心軸が小さい角度を有しており、上記シースの上記使用者の後頭部に面する側に２つの耳部が設けられ、上記回動ピンは、上記耳部にそれぞれ形成され、それぞれの回動ピンは、上記緩衝構造を上記シースに対して回動させることができるように、対応する孔に挿入することができる。
【００３７】
任意には、上記回動ピンは、上記緩衝構造をその側縁部から中心に向かって屈曲させることによって上記孔に挿入される。
【００３８】
任意には、上記緩衝構造の上記使用者の後頭部に面する側に、汗吸収パッドが設けられている。
【００３９】
本願の別の局面において、上記ヘッドバンド装置を備える溶接用ヘルメットが提供される。
【００４０】
任意には、上記溶接用ヘルメットは、自動遮光溶接用ヘルメットである。
【図面の簡単な説明】
【００４１】
明細書の一部としてまた本発明のさらなる説明を提供するため、図面は、本発明の好適な実施形態を示し、明細書と共に本発明の原理を説明するために用いられる。
【図１】本願の一実施形態に係る溶接用ヘルメット用のヘッドバンド装置を模式的に示す斜視図。
【図２】図１のヘッドバンド装置のヘルメット取付構造のブラケットを模式的に示す分解斜視図。
【図３】ヘルメット取付構造の模式図であり、図３ａは係止状態を示し、図３ｂは係止解除状態を示している。
【図４】ヘッドバンド装置に対してヘルメット取付構造を調節する方法を示す模式図。
【図５】本願の別の実施形態に係るヘルメット取付構造の模式図であり、図５ａは係止状態を示し、図５ｂは係止解除状態を示している。
【図６】本願の別の実施形態に係るヘッドバンド装置の模式的な部分斜視図であり、図６ａは、ヘッドバンド装置のヘルメット取付構造が係止状態を示し、図６ｂは、図６ａのヘルメット取付構造が係止解除状態を示している。
【図７】本願の別の実施形態に係るヘッドバンド装置の模式的な部分斜視図。
【図８】図７のヘッドバンド装置用のヘルメット取付構造の模式図であり、図８ａは、部分断面斜視図であり、図８ｂおよび図８ｃは、図７のヘルメット取付構造が係止状態および係止解除状態をそれぞれ示している。
【図９】ヘッドバンド装置の後部シースに位置する、本願の一実施形態に係る緩衝構造の模式図。
【図１０】２つの異なる回動状態にある図９の緩衝構造の模式図。
【発明を実施するための形態】
【００４２】
本願の図面において、同一または類似の特徴は同一の参照符号で示す。
【００４３】
図１は、本願の一実施形態に係る溶接用ヘルメット（図示せず）用のヘッドバンド装置１０を概略的に示す斜視図である。なお、本願の文脈において、記載される溶接用ヘルメットは、自動遮光溶接用ヘルメットを指すために用いられる場合もある。一般に、溶接用ヘルメットは、ヘルメットシェルおよび当該ヘルメットシェル内に配置されたヘッドバンド装置１０を備える。溶接作業を行う着用者の目を保護するために、保護シートがヘルメットシェルに取り付けられる。
【００４４】
ヘッドバンド装置１０は、プラスチック材料で形成することができる。図１に示すように、ヘッドバンド装置は、いくつかのバンド部１０１、１０２ａ、１０２ｂ、１０３ａ、１０３ｂ、１０４ａ、１０４ｂ、１０５ａおよび１０５ｂを備える。バンド部１０１は、着用者の前額部に当接させるために用いられる。バンド部１０２ａ、１０２ｂ、１０３ａ、１０３ｂ、１０４ａおよび１０４ｂは、着用者の頭頂部に当接させるために用いられる。バンド部１０５ａおよび１０５ｂは、着用者の後頭部またはその周辺に装着するために用いられる。
【００４５】
ヘッドバンド装置１０はまた、２つの側方バンド部１１０ａおよび１１０ｂを備える。バンド部１０３ａ、１０４ａおよび１０５ａは、側方バンド部１１０ａから一体に延びるように設けられている。バンド部１０３ｂ、１０４ｂおよび１０５ｂは、側方バンド部１１０ｂから一体に延びるように設けられている。例えば、バンド部１０２ａおよび１０２ｂ、１０３ａおよび１０３ｂ、ならびに１０４ａおよび１０４ｂの対のそれぞれは、これらの間に、着用されるヘッドバンド装置１０の締まりを調節することが可能な係合構造を備える。
【００４６】
さらに、バンド部１０５ａおよび１０５ｂのそれぞれは、歯付きスロットを一端に備える。これら２つのバンド部の各端部は、当該端部が部分的に重なるように、プラスチック材料からなる後部シース２００（図９）に挿入することができる。後部シース２００には、回転つまみ２１０が回転可能に設置されている。回転つまみ２１０と協働するギアが後部シース２００に設けられている。また、このギアは、つまみ２１０を正方向または逆方向に回転させることにより、２つのバンド部１０５ａおよび１０５ｂを互いにずらしてヘッドバンド装置１０の締まりを調節することができるように、バンド部１０５ａおよび１０５ｂの歯付きスロットと係合する。
【００４７】
バンド部１０１、１０２ａおよび１０２ｂは、着用者によってヘッドバンド装置１０が着用された際に、頭部の形状が異なる着用者の前額部に対してバンド部１０１、１０２ａおよび１０２ｂがよりフィットするように、側方バンド部１１０ａおよび１１０ｂにそれぞれ回動可能に連結されている。
【００４８】
ヘッドバンド装置１０の側方バンド部１１０ａおよび１１０ｂのそれぞれには、装着構造５００が設けられており、装着構造５００は、対応するヘルメット取付構造３００と協働するように用いられる。例えば、側方バンド部は、装着構造と一体に形成することができる。ヘルメット取付構造３００は、溶接用ヘルメットの対応する固定孔に固定されて、ヘッドバンド装置１０を溶接用ヘルメットに固定するために用いられる。
【００４９】
着用者は、溶接用ヘルメットを着用した後に、本実施形態に係るヘルメット取付構造３００を用いて、ヘッドバンド装置１０に対する溶接用ヘルメットの位置を前方または後方に容易に調節することができる。ヘッドバンド装置１０の両側方にあるヘルメット取付構造３００は対称に設けられているので、以下においては、側方バンド部１１０ａに設けられた装着構造５００と協働するヘルメット取付構造３００についてのみ図２〜図４ｂを参照して説明する。当業者であれば、説明されるヘルメット取付構造の内容を他方の側方バンド部１１０ｂに設けられた装着構造５００に適用することができることを理解するであろう。
【００５０】
図２に示すように、ヘルメット取付構造３００は、ブラケット３１０を備える。ブラケット３１０の一端に、つまみ３１２（図１を参照）に嵌合するつまみ嵌合部３１１が、つまみ３１２が溶接用ヘルメットの取付孔に固定できるように、設けられている。ブラケット３１０には、つまみ嵌合部３１１とは反対側の端部にソケット３５０が形成されている。ソケット３５０には、回動軸３４０および回動軸３４０を中心として回動可能である係止可能部品３２０が収容される。例えば、挿入部品３３０をブラケット３１０のソケット３５０に挿入することができる。
【００５１】
図２に示す実施形態において、回動軸３４０および挿入部品３３０は、ブラケット３１０の側方開口を介してソケット３５０内に設置することができ、係止可能部品３２０は、ブラケット３１０の別の側方開口を介してソケット３５０内に設置することができ、これにより、回動軸３４０はソケット３５０内のブラケット３１０の孔および係止可能部品３２０の孔の両方を貫通し、係止可能部品３２０を回動軸３４０に対して回動可能とすることができる。係止可能部品３２０の外面には、ハンドル３２２が一体に形成されている。係止可能部品３２０がしかるべき位置に組み付けられると、挿入部品３３０によって、ブラケット３１０の開口（当該開口を介して係止可能部品３２０が設置される）領域が狭められ、ハンドル３２２を、当該ハンドルを人の指で触れることができるように、ブラケット３１０の開口から露出させることができる。挿入部品３３０の縁部３３１およびブラケット３１０の開口の縁部３５３により、ハンドル３２２の移動可能範囲が制限されている。すなわち、係止可能部品３２０は、縁部３３１および３５３によって規定される角度範囲内でのみ、回動軸３４０を中心としてソケット３５０内で回動することができる。
【００５２】
さらに、図３ａおよび図３ｂに示すように、ソケット３５０には、案内リブ３５１および留めリブ３５２が形成されている。これらのリブは、挿入部品３３０の対応する溝に係合して、挿入部品３３０をソケット３５０内に固定するために用いられる。磁気部４２０を収容する溝が挿入部品３３０に形成され、磁気部４１０を収容する溝が係止可能部品３２０に形成されている。図示の実施形態において、磁気部４１０、４２０は、平坦な立方体状である。別の実施形態において、磁気部は、板状に形成することができる。さらに別の実施形態において、磁気部４２０および４１０は、それぞれ、挿入部品３３０および係止可能部品３２０に接着剤で接着することができる。各磁気部は、ＮおよびＳの極性をその両面にそれぞれ有する。
【００５３】
各装着構造５００は、位置決め板５１０を有する。位置決め板５１０には、少なくとも２つの位置決め孔が長手方向に形成されている。例えば、図３ａおよび図３ｂにおいては、４つの位置決め孔が形成されている。一対のレール５１０ａおよび５１０ｂが、位置決め板５１０の対向する２つの長手方向に沿った端縁にそれぞれ形成されている。図３ａおよび図３ｂに示すように、一対の溝３６０ａおよび３６０ｂが、ブラケット３１０のソケット３５０とは反対の側に形成されている。溝３６０ａおよび３６０ｂは、ブラケット３１０を位置決め板５１０に沿って長手方向に案内および移動させることができるように、レール５１０ａおよび５１０ｂとそれぞれ係合することができる。回動軸３４０は、位置決め板５１０と実質的に平行とすることができる。磁気部４２０もまた、位置決め板５１０と実質的に平行とすることができる。
【００５４】
係止可能部品３２０には、（係止）舌部３２１が、ハンドル３２２と実質的に反対の位置に一体に形成されている。ブラケット３１０の壁に開口が形成されており、この壁は、ソケット３５０の一部を形成するとともに、位置決め板５１０に面している。例えば、係止可能部品３２０を回動軸３４０を中心として回動させて、当該部品が縁部３５３と接触する係止状態にすると、係止可能部品３２０の舌部３２１は、ブラケット３１０が位置決め板５１０に対して長手方向に係止されるように、ブラケット３１０の壁の開口および位置決め板５１０の１つの位置決め孔を通過することができる。磁気部４１０および４２０は、これら２つの磁気部の周方向に対向する面または実質的に対向する面が同じ極性を有するように、それぞれ、係止可能部品３２０および挿入部品３３０に配置されている。磁気部４２０を省略した場合、図３ａに示す係止状態にある係止可能部品３２０は、当該部品の重力により、回動軸３４０を中心として下方に回動するであろう。しかし、磁気部４２０の存在により、極性が同じであるために磁気部４１０および４２０の間に発生する斥力が上記重力に反して、係止可能部品３２０を係止状態に保持することが可能となる。
【００５５】
好適な実施形態において、磁気部は、永久磁石、例えば、ＮｄＦｅＢ磁石、ＡｌＮｉＣｏ磁石、フェライト磁石または他の適した磁石とすることができる。磁気部４１０および４２０の磁力は、これらの間に発生する斥力が、係止可能部品３２０を回動軸３４０を中心として回動させて係止状態とし、動かないようにそこで保持するのに十分であるように設計するのがよい。さらに、この斥力は、磁気部４１０および４２０を互いに対して接近するように移動させることが困難になるほどには大きくないのがよい。
【００５６】
係止可能部品３２０を回動軸３４０を中心として回動させ、磁気部４１０および４２０が互いに当接する係止解除状態とすると、舌部３２１は、位置決め板５１０の位置決め孔から出てブラケット３１０の壁の開口に後退するので、ブラケット３１０の壁がレール５１０ａおよび５１０ｂに案内されて位置決め板５１０上を長手方向に摺動することを舌部３２１が妨げることがなくなる。係止可能部品３２０が係止解除状態にあるとき、磁気部４１０および４２０の間の斥力はその最大値に達する。したがって、ブラケット３１０を位置決め板５１０に沿って別の位置決め孔に対応する位置に移動させた後、係止可能部品３２０は、斥力によって係止状態に回動し、舌部３２１は当該別の位置決め孔に入ってブラケット３１０を位置決め板５１０に係止することができる。
【００５７】
図４ａおよび図４ｂは、本実施形態に係るヘルメット取付構造をヘッドバンド装置に対して調節する方法を概略的に示す。図４ａは、ヘルメット取付構造３００は、通常、係止状態にあることを示す。溶接用ヘルメット（図示せず）はヘルメット取付構造３００に対してしかるべき位置に固定されているものと考えられる。溶接用ヘルメットとヘッドバンド装置１０との間には空間／隙間が残されており、この空間／隙間は、着用者の指を入れるのに十分な大きさである。ヘッドバンド装置１０に対して溶接用ヘルメットを動かしたい場合、着用者の指は、まず、舌部が位置している位置決め孔からヘルメット取付構造３００の舌部３２１を出すことが可能となるようにハンドル３２２を押圧し、それにより、ヘルメット取付構造３００を係止解除状態とすることができる。そして、図４ｂに示すように、ヘルメット取付構造３００を係止解除状態に保持したまま、ヘルメット取付構造３００を矢印ＡまたはＢに沿って別の位置決め孔に対応する停止位置に移動させた後、ハンドル３２２を解除し、それにより、舌部３２１は当該別の位置決め孔に入り、ヘルメット取付構造３００は再び位置決め板５１０に対して係止される。
【００５８】
図３ａおよび図３ｂに示すように、位置決め板５１０の４つの位置決め孔により、４つの停止位置１、２、３、４が定められており、これらの位置へ溶接用ヘルメットを前方または後方に移動させることができるので、着用者は、溶接用ヘルメットを外すことなく、保護シートと自身の目との間の距離を容易に調節することができる。
【００５９】
上述の各実施形態において、ヘルメット取付構造３００または溶接用ヘルメットは、上記２つの磁気部間の斥力によって係止される。このような非接触型の係止は、簡便に行うことができる。ヘルメット取付構造３００にバネ要素を設ける必要がないため、ヘルメット取付構造は、構成が簡略化されるとともに寿命が長くなる。
【００６０】
ヘルメット取付構造は、上述の実施形態に限定されるものではない。例えば、別の実施形態において、挿入部品３３０を省略し、磁気部４２０を、位置決め板５１０に面するブラケット３１０の壁に直接設けることができる。さらに別の実施形態において、２つの磁気部４１０および４２０の間の斥力が、係止可能部品３２０を回動軸３４０回りに回動させて係止状態とし、そこで動かないように保持するのに十分に大きいのであれば、磁気部４２０を位置決め板５１０に直接設けることもできる。この実施形態においては、位置決め板５１０に面するブラケット３１０の壁を省略することもできる。さらに別の実施形態において、磁気部４１０および４２０は、係止解除状態において互いに接触しないように配置することができる。ただし、係止解除状態において当該磁気部間に発生する斥力は、係止状態において発生する斥力よりも大きくするのがよい。
【００６１】
別の実施形態において、位置決め孔と舌部とを互いに入れ替えてもよい。例えば、１つの位置決め孔を係止可能部品３２０の一部分に設け、いくつかの舌部を位置決め板５１０に設けてもよい。この場合、位置決め板５１０の停止位置は、舌部によって定められることになる。ブラケット３１０は、係止可能部品３２０が係止解除状態にある場合には、舌部が位置決め孔に入らず、ブラケット３１０を位置決め板５１０に沿って摺動させることができ、また、係止可能部品３２０が係止状態にある場合には、１つの舌部が位置決め孔に入り、ブラケット３１０を位置決め板５１０に沿って摺動させないように、再設計されることになる。
【００６２】
図５ａおよび図５ｂは、本願の別の実施形態に係るヘルメット取付構造３１００が係止状態および係止解除状態にあることをそれぞれ概略的に示す。ヘルメット取付構造３１００は、ヘッドバンド装置１０の装着構造５０００と協働することが可能である。装着構造５０００は、装着構造５００と同様に構成することができる。ただし、装着構造５０００の位置決め孔は、装着構造５００の位置決め孔よりも若干低い高さにある。ヘルメット取付構造３１００は、ブラケット３１１０を有する。ブラケットにはソケットが形成されている。ソケットには回動軸が収容され、この回動軸を中心として回動させることが可能な係止可能部品もソケットに収容される。ブラケットのソケットには、挿入部品も収容することができる。ブラケット３１１０ならびにそのソケット、回動軸、係止可能部品および挿入部品は、図１〜図４ｂに示すブラケット３１０、ソケット３５０、回動軸３４０、係止可能部品３２０および挿入部品３３０と同様に構成および配置することができる。したがって、以下においては、ヘルメット取付構造３１００とヘルメット取付構造３００との相違についてのみ説明する。磁気部４１００および磁気部４２００が、２つの磁気部の周方向に対向する面または実質的に対向する面が異なる極性を有するように、ブラケット３１１０の係止可能部品および挿入部品にそれぞれ配置されている。このように、図５ａに示す係止状態においては、２つの磁気部４１００および４２００の間に磁気引力が発生するため、係止可能部品は、係止可能部品の舌部３２１０が装着構造５０００の位置決め板５１００の１つの位置決め孔に入ることができるように、必然的に、回動軸を中心として回動可能となる。したがって、ブラケット３１１０を位置決め板５１００に対して長手方向に係止することができる。図５ｂに示す係止解除状態においては、（例えば、係止可能部品のハンドルを人の指で押すことによる）外力の作用により、係止可能部品は、磁気部４１００および４２００の間に発生した磁気引力に打ち勝って、回動軸を中心として回動することができる。したがって、係止可能部品の舌部３２１０は、ブラケット３１１０を位置決め板５１００に沿って長手方向に摺動可能とするように、位置決め板５１００の位置決め孔を出ることができる。本実施形態においては、磁気部４１００および４２００の磁気強度は、これらの間の磁気引力によって係止可能部品の舌部３２１０が確実に位置決め板５１００の位置決め孔に保持されることが保証され、かつ使用者が係止可能部品を押すことができないほどには磁気引力は強くはないように設計されるのがよい。
【００６３】
図６ａおよび図６ｂは、溶接用ヘルメット（図示せず）用の本願の別の実施形態に係るヘッドバンド装置を部分斜視図で概略的に示す。このヘッドバンド装置は、主に装着構造５２００およびヘルメット取付構造３２００によってヘッドバンド装置１０と区別される。図６ａおよび図６ｂに示すヘッドバンド装置には、装着構造５２００が設けられている。なお、装着構造５２００およびヘルメット取付構造３２００はいずれも、ヘッドバンド装置の両側方に設けられている。
【００６４】
各装着構造５２００は、位置決め板５２１０を備える。この位置決め板５２１０は、位置決め板５１０と同様に、ヘルメット取付構造３２００をこれに沿って摺動するよう案内するために用いることができる。位置決め板５２１０には長いスロットが形成されている。位置決め板５２１０にはまた、いくつかの切欠きが、スロットと連通するように形成されている。例えば、図６ａおよび図６ｂにおいて、切欠きは、下方に向かって開口している。
【００６５】
各ヘルメット取付構造３２００は、ボタン３２０１と、当該ボタンが摺動可能に収容されるソケット３２０２とを備える。ヘルメット取付構造３２００が装着構造５２００に嵌合されたとき、ボタン３２０１の摺動方向はヘルメット取付構造３２００の摺動方向に対して実質的に垂直である。ボタン３２０１には舌部３２０１ａが形成されている。舌部３２０１ａは、ボタン３２０１の摺動方向に対して垂直に延びている。さらに、ヘルメット取付構造３２００が装着構造５２００に嵌合された後、舌部３２０１ａは位置決め板５２１０のスロット内に突出してもよい。
【００６６】
磁気部４１０および４２０は、それぞれ、ボタン３２０１およびソケット３２０２に固定されており、それにより、２つの磁気部の周方向に対向する面または実質的に対向する面は同じ極性を有する。例えば、磁気部４１０をボタン３２０１の下方に開口する凹部に接着し、磁気部４２０をソケット３２０２の底面に接着する。磁気部４２０を省略した場合、ボタン３２０１は、重力によってソケット３２０２内を下方に摺動するであろう。しかし、磁気部４２０の存在により、磁気部４１０および４２０の間に発生する磁気斥力がボタン３２０１を重力に逆らって上方へ付勢することになる。
【００６７】
図６ａは、係止状態にあるヘルメット取付構造３２００を示す。この係止状態においては、磁気部４１０および４２０の間の磁気斥力により、ボタン３２０１が上方へ付勢されるので、舌部３２０１ａは位置決め板５２１０の１つの切欠きに係合することができる。したがって、ヘルメット取付構造３２００を、装着構造５２００に対して長手方向に係止することができる。
【００６８】
図６ｂは、係止解除状態にあるヘルメット取付構造３２００を示す。この係止解除状態において、使用者は、自身の指でボタン３２０１を押圧する。これにより、ボタン３２０１はソケット３２０２内で下方へ摺動することができ、舌部３２０１ａは位置決め板５２１０の切欠きから外れる。同時に、舌部３２０１ａは位置決め板５２１０のスロットに入り、ヘルメット取付構造３２００は、装着構造５２００に沿って長手方向に摺動可能となる（例えば、図６ｂに矢印ＡおよびＢで示すように）。ボタン３２０１が位置決め板５２１０の別の切欠きに対応する停止位置に到達した後、当該ボタンの押圧を解除すると、舌部３２０１ａは当該別の切欠きに入り、ヘルメット取付構造３２００は装着構造５２００に対して長手方向に再び係止される。
【００６９】
別の実施形態においては、磁気部４１０をボタン３２０１上に配置し、磁気部４２０を装着構造５２００上に配置してもよく、これにより、ヘルメット取付構造が係止状態から係止解除状態に変更されるにつれて２つの磁気部４１０および４２０は互いに接近する。
【００７０】
図７は、溶接用ヘルメット（図示せず）用の本願の別の実施形態に係るヘッドバンド装置を概略的に示す部分斜視図である。このヘッドバンド装置は、主にヘルメット取付構造３３００により、ヘッドバンド装置１０と区別される。図７のヘッドバンド装置は、図１〜図６ｂの装着構造を備えていてもよい。ヘルメット取付構造３３００は、装着構造と協働することができる。
【００７１】
次に、図８ａを参照し、ヘルメット取付構造３３００の構成について説明する。ヘルメット取付構造３３００は、ブラケットを備える。キー部３３１０およびキー部３３２０がブラケットに設置されている。２つのキー部３３１０および３３２０は、使用者がこれらを押圧することができるように、ブラケットの両側から少なくとも部分的に露出している。キー部３３１０および３３２０は、これらが案内されて互いに接近または離間するように摺動することができるようにブラケットに設けられている。キー部３３１０および３３２０は、ヘルメット取付構造３３００が装着構造５００上を摺動する方向に対して実質的に垂直な方向に摺動することができる。いずれのキー部にも、他方のキー部に面する側にロッド部が設けられている。例えば、キー部３３１０にはロッド部３３１１が設けられ、キー部３３２０にはロッド部３３２１が設けられている。２つのロッド部の長さは、キー部の摺動に悪影響を及ぼさないような大きさとされている。２つのロッド部３３１１および３３２１は、これらが互いに平行となるようにブラケット内に配置されている。ブラケットの内部には、２つのキー部３３１０および３３２０の間に舌部３３３０も設けられている。舌部３３３０は、キー部３３１０および３３２０の摺動方向およびヘルメット取付構造３３００の摺動方向の両方に対して実質的に垂直な方向に摺動自在に案内されるように、ブラケット内に配置される。舌部３２１と同様、舌部３３３０は、位置決め板５１０の１つの位置決め孔に入ることができるようにブラケットから部分的に突出していてもよい。
【００７２】
２つのロッド部のうちの一方（例えば、ロッド部３３２１）は、実質的に直線ロッド状であるが、円弧状部分を有している。２つのロッド部の他方（例えば、ロッド部３３１１）は、実質的に直線ロッド状である。各ロッドは、実質的に一定の断面を有する。舌部３３３０には、貫通孔および長形スロットが形成されている。貫通孔の断面は、ロッド部３３２１が貫通孔を隙間なく貫通しかつ摺動できるように、ロッド部３３２１の断面と相補的である。長形スロットの長さは、ロッド部３３２１の円弧の高さ以上である。換言すれば、長形スロットの断面は、ロッド部３３２１の断面よりも大きい。キー部３３１０および３３２０ならびに舌部３３３０をヘルメット取付構造３３００のブラケット内にしかるべき位置に組み付けた後、ロッド部３３２１は、舌部３３３０の貫通孔を通過し、ロッド部３３１１は、舌部３３３０の長形スロットを通過する。このようにして、キー部３３１０および３３２０を互いに接近するように移動させると、ロッド部３３２１の円弧状部分を舌部３３３０の貫通孔を通って移動させることができる。このとき、舌部３３３０は、ロッド部３３２１の円弧状部分によって駆動されて、キー部３３１０および３３２０の移動方向と垂直な方向に移動可能となる。
【００７３】
キー部３３１０および３３２０には、それぞれ、磁気部４１１および磁気部４１２が埋設されている。磁気部４１０および４２０と同様、磁気部４１１および４１２は、２つの磁気部の対向する面または実質的に対向する面が同じ極性を有するように配置されている。外力が存在しない状態では、キー部３３１０および３３２０は、磁気部４１１および４２１の間に発生する磁気斥力の作用によって互いに離間するように移動する。キー部がブラケットから一部のみ突出することができるように、キー部とブラケットとの間にストッパを設けることができることが考えられる。
【００７４】
図８ｂは、ヘルメット取付構造３３００が係止解除状態にあることを示す。使用者は、キー部３３１０および３３２０を押圧して、これらがヘルメット取付構造３３００の磁気部４１１および４２１の間の磁気斥力に打ち勝ち、それによって、互いに接近するように摺動させることができる。ロッド部３２２１の円弧状部分が舌部３３３０の貫通孔を通って摺動するにつれて、舌部３３３０は円弧状部分の頂部に向かう方向に沿って移動するように駆動される。舌部３３３０が駆動されているとき、ロッド部３３１１は、舌部３３３０の動きに影響を与えないように、舌部３３３０の長形スロット内を長手方向に摺動する。円弧状部分の頂部が舌部３３３０の貫通孔内にあるときに、舌部３３３０はその最大限度まで移動する。すると、舌部３３３０は、ブラケット内に後退し、位置決め板５１０のどの位置決め孔にも入らない。したがって、ヘルメット取付構造３３００は、装着構造５００、特に位置決め板５１０、に対して、長手方向に摺動可能になる。
【００７５】
図８ｃは、ヘルメット取付構造３３００が係止状態にあることを示す。キー部３３１０および３３２０が解放され、それにより、磁気部４１１および４２１の間の磁気斥力の作用によってキー部３３１０および３３２０は互いに離間するように移動する。この移動の過程において、円弧状部分の頂部が舌部３３３０の貫通孔を出て、最終的に、ロッド部３３２１の直線部分が舌部３３３０の貫通孔を通過して、それにより、舌部３３３０はブラケットから再び突出する。したがって、舌部３３３０は、その自由端において位置決め板５１０の１つの位置決め孔に入ることができ、それにより、ヘルメット取付構造３３００を装着構造５００、特に位置決め板５１０、に長手方向に係止することができる。
【００７６】
別の実施形態において、さらには、ロッド部３３１１をキー部３３１０から省略してもよい。すなわち、キー部３３２０のロッド部３３２１のみを使用して、上述したように舌部３３３０を移動させることができる。
【００７７】
次に図９を参照すると、本願の一実施形態に係る緩衝構造７００が示されている。緩衝構造７００は、当該緩衝構造を、着用者の後頭部に接触させるようにある程度回動させことができるように、後部シース２００に設置される。２つの耳部２２０および２３０が、当該耳部がそれぞれシースの横方向の両外側に隣接するように、後部シース２００の着用者の後頭部に面する側に形成されている。耳部２２０および２３０には、貫通孔２２１および貫通孔２３１がそれぞれ形成されている。２つの貫通孔２１１および２３１は、互いに実質的に同軸となるかあるいはそれらの中心軸が小さい角度を有するように設けられている。
【００７８】
緩衝構造７００は、プラスチック材料からなる単一部品である。緩衝構造７００は、２つのループ部分７０１および７０２を備える。これらのループ部分は、緩衝構造７００を必要に応じて柔軟に屈曲させることができるように、２つの連結部分７０３および７０４によって互いに連結されている。さらに、ループ部分は、緩衝構造７００によって着用者（特に、その頭部）がより快適さを感じることができるとともに、着用者の頭部の通気を容易にして発汗を防止することができるように設計されている。
【００７９】
緩衝構造７００は、その左側に隣接する支持リブ７２０およびその右側に隣接する支持リブ７３０を有する。支持リブ７２０および７３０は、それぞれ、ループ部分７０１および７０２に形成されている。支持リブ７２０は回動ピン７２１を有し、支持リブ７３０は回動ピン７３１を有する。回動ピン７２１は、露出端と、支持リブ７２０に連結された基端とを有する。回動ピン７３１は、露出端と、支持リブ７３０に連結された基端とを有する。２つの露出端は、互いに対向している。耳部２２０および２３０のそれぞれは内面を有し、各内面は相手方の内面と対向する。各耳部は、自身の内面とは反対側に外面を有する。緩衝構造７００をその側縁部から中心に向かって屈曲させることにより、回動ピン７２１および７３１を貫通孔２２１および２３１にそれぞれ挿入することができる。
【００８０】
支持リブ７２０および７３０は、回動ピン７２１および７３１の基端間の距離が耳部２２０および２３０の外面間の距離に等しいかあるいはそれよりも小さくなるように設けられている。したがって、回動ピン７２１および７３１の基端を耳部２２０および２３０の外面にそれぞれ装着し、回動ピン７２１および７３１を貫通孔２２１および２３１にそれぞれ挿入した後、貫通孔２２１内の回動ピン７２１および貫通孔２３１の回動ピン７３１によって、緩衝構造７００を回動させることが可能な回動軸が形成される。したがって、緩衝構造７００は、後部シース２００に回動可能に取り付けられる。当業者であれば、緩衝構造７００がより確実に回動可能となるように、より多くの貫通孔付き耳部およびより多くの回動ピンをシース２００および緩衝構造７００にそれぞれ設けることができることを理解するであろう。別の実施形態において、耳部と回動ピンとを互いに入れ替えることができる。例えば、耳部を緩衝構造７００に設け、回動ピンをシース２００に設けることができる。別の実施形態において、貫通孔は、回動ピンの基端に面する耳部の面に設けられた止まり穴であってもよい。
【００８１】
図１０に示すように、緩衝構造７００を上方または下方に回動させることができるため、ヘッドバンド装置を着用者の後頭部によりフィットさせることができる。緩衝構造７００およびシース２００の構成は、緩衝構造７００とシース２００との間の距離を変更できるように設計することができる。このようにして、緩衝構造７００がシース２００に対して回動する角度を調節することができる。好適な実施形態において、緩衝構造７００は、シース２００に対して、約９０度の角度範囲で回動することができる。例えば、緩衝構造７００は、水平面に対して約４５度の角度で上方または下方に回動することができる。別の実施形態において、着用者の汗によってヘッドバンド装置がずり落ちるのを回避するために、緩衝構造７００の着用者の後頭部に接触させる面に汗吸収パッドを設けることができる。本願の一実施形態において、緩衝構造７００をヘッドバンド装置に単独で設けてもよい。
【００８２】
本明細書において本願のいくつかの特定の実施形態について説明したが、これらは例示を目的として示したに過ぎず、本願の範囲を限定するものであると解釈されるべきではない。さらに、上記各実施形態は、任意に組み合わせることができる。本願の要旨及び範囲から逸脱することなく、様々な改変、変更および変形が考えられる。
【符号の説明】
【００８３】
１０  ヘッドバンド装置
２００  後部シース
２２０、２３０  耳部
３００、３１００、３２００，３３００  ヘルメット取付構造
３１０，３１１０  ブラケット
３１１  つまみ嵌合部
３２０  係止可能部品
３２１、３２１０  舌部
３２２  ハンドル
３３０  挿入部品
３３１、３５３  縁部
３４０  回動軸
３５０  ソケット
４１０、４２０、４１００、４２００  磁気部
５００、５０００  装着構造
５１０、５１００、５２１０  位置決め板
５２００  取付構造
３３１０、３３２０キー部
７００  緩衝構造
７０１、７０２  ループ部分
７２０，７３０  支持リブ
７２１  回動ピン
【図１】
2018024963.tif 000003
【図２】
2018024963.tif 000004
【図３】
2018024963.tif 000005
【図４】
2018024963.tif 000006
【図５】
2018024963.tif 000007
【図６】
2018024963.tif 000008
【図７】
2018024963.tif 000009
【図８】
2018024963.tif 000010
【図９】
2018024963.tif 000011
【図１０】
2018024963.tif 000012